(57)【要約】【課題】チップの欠けや脱落を防止しつつ雑草等を効率よく切断することができる刈払い用チップソーを提供する。【解決手段】刈払い用チップソー１００は、台金１０１の周縁部に略波型状に径方向外側に向かって張り出した状態で複数の支持部１０２が形成されている。各支持部１０２には、周縁部の角部にチップ１０４が固着されている。チップ１０４は、雑草等を切断するための超硬製の刃物であり、長方形状の平面からなる刃面１０５における２つの長辺にそれぞれ切れ刃１０６を有している。そして、チップ１０４は、刃面１０５が刈払い用チップソー１００の回転方向に対して直交して面するとともに切れ刃１０６の全部を台金１０１の径方向に沿って露出させた状態で支持部１０２にロウ付けによって固着されている。この場合、チップ１０４は、台金１０１の径方向に対する刃面１０４の角度であるスクイ角αが負のスクイ角に傾斜した状態で支持部１０２に固着される。【選択図】  図１
2014011980.tif 000002
【特許請求の範囲】
【請求項１】
平面状の刃面の縁部に切れ刃が形成されたチップと、
円盤状に形成されるとともに周縁部に前記チップを支持する支持部が放射状に張り出して形成された台金とを有した刈払い用チップソーにおいて、
前記チップは、
前記切れ刃が前記刃面の幅よりも長く形成されており、
前記支持部は、
前記チップを前記台金の周方向に対して１つの前記刃面および前記切れ刃を前記刃面の幅よりも長い範囲でそれぞれ露出させた状態でかつ負のスクイ角で保持しており、
前記台金は、
互いに隣接する前記支持部間に形成された凹状の逃げ部における前記チップより内側の幅が前記切れ刃の長さの２倍以上に設定されていることを特徴とする刈払い用チップソー。
【請求項２】
請求項１に記載した刈払い用チップソーにおいて、
前記チップのスクイ角は、０°未満かつ−１０°以上であることを特徴とする刈払いチップソー。
【請求項３】
請求項１または請求項２に記載した刈払い用チップソーにおいて、
前記支持部は、
前記台金の周方向に沿って前記切れ刃の長さの２倍以上の長さで形成されていることを特徴とする刈払い用チップソー。
【請求項４】
請求項１ないし請求項３のうちのいずれか１つに記載した刈払い用チップソーにおいて、
前記支持部は、
前記台金の周縁部に２６以上かつ３０以下の範囲で形成されていることを特徴とする刈払い用チップソー。
【発明の詳細な説明】
【技術分野】
【０００１】
本発明は、雑草等を刈り取る刈払い機に装着される刈払い用チップソーに関する。
【背景技術】
【０００２】
従来から、雑草や低木（以下、「雑草等」という）を刈り取る際に刈払い機（「草刈り機」ともいう）が用いられている。刈払い機は、円盤状の台金の周縁部に複数の切れ刃を備えた刈刃を高速で回転駆動することにより雑草等を切断することができる機械装置である。このような刈払い機に着脱自在に装着される刈刃には、台金と切れ刃とが互に異なる素材で構成されて台金の周縁部に切れ刃が接合されたチップソーがある。
【０００３】
例えば、下記特許文献１には、台金の盤面側から見て台金の支持部がチップの２辺をそれぞれ支持した所謂ハメ込み型の刈払い用チップソー（特許文献１図４（ａ）参照）と、台金の支持部がチップの３辺をそれぞれ支持した所謂埋込み型の刈払い用チップソー（特許文献１図４（ｂ）参照）とがそれぞれ開示されている。
【先行技術文献】
【特許文献】
【０００４】
【特許文献１】実開平０７−３９３３５号公報
【０００５】
しかしながら、ハメ込み型の刈払い用チップソーにおいては、チップが２辺で支持されているため切れ刃を長く露出させることができ雑草等を効率よく切断できる反面、刈払い作業中に小石、砂利または砂などの異物にチップが接触することによりチップに欠けや脱落が生じてチップソーが損傷し易いという問題があった。一方、埋込み型の刈払い用チップソーにおいては、ハメ込み型の刈払い用チップソーとは反対に支持部がチップを覆う範囲が多いためチップの欠けや脱落が生じ難い反面、切れ刃の外部への露出が少ないために雑草等の切断効率が低いという問題があった。
【０００６】
本発明は上記問題に対処するためなされたもので、その目的は、チップの欠けや脱落を防止しつつ雑草等を効率よく切断することができる刈払い用チップソーを提供することにある。
【発明の概要】
【０００７】
上記目的を達成するため、本発明の特徴は、平面状の刃面の縁部に切れ刃が形成されたチップと、円盤状に形成されるとともに周縁部にチップを支持する支持部が放射状に張り出して形成された台金とを有した刈払い用チップソーにおいて、チップは、切れ刃が刃面の幅よりも長く形成されており、支持部は、チップを台金の周方向に対して１つの刃面および切れ刃を刃面の幅よりも長い範囲でそれぞれ露出させた状態でかつ負のスクイ角で保持しており、台金は、互いに隣接する支持部間に形成された凹状の逃げ部におけるチップより内側の幅が切れ刃の長さの２倍以上に設定されていることにある。
【０００８】
このように構成した本発明の特徴によれば、刈払い用チップソーは、雑草等を切断するチップの切れ刃のスクイ角を構成する刃面が負のスクイ角に傾斜して構成されている。これにより、刈払い用チップソーは、チップに接触する異物を台金の径方向外側に逃がして異物の接触によるチップの欠けや脱落を抑制することができる。この場合、本発明者による官能試験（被験者数２０名）によれば、本発明に係る刈払い用チップソーによれば、刈払い作業における雑草等の切断抵抗が軽く感じられ、現実に、刈払い機の消費燃料が少なくなるとともに、作業者の疲労度および作業時間が短くなることを確認した。これは、恐らく、チップに接触する雑草等を台金の径方向外側に逃がしながら切断するためと考えられる。
【０００９】
また、チップの欠けや脱落を抑制できることからチップの切れ刃を刃面の幅の長さよりも長い範囲に露出させることができ、少なくとも所謂埋込み型の刈払い用チップソーに対して同等以上の雑草等の切断効率を確保することができる。そして、この場合、刈払い用チップソーは、チップを支持する支持部間に形成された凹状の逃げ部におけるチップより内側の幅が切れ刃の長さの２倍以上に設定されているため、刈払い作業中における支持部間への雑草等の巻き込みを抑制できるとともにこれらの支持部間に雑草等を巻き込んだ場合であっても巻き込み物が離脱され易い。これにより、刈払い用チップソーは、刈払い用チップソーに対する雑草等の掃けがよく雑草等の絡み付きが防止されて作業効率が向上するとともに、埋込み型の刈払い用チップソーよりも長く露出した切れ刃の切断効率を良好に維持することができる。すなわち、本発明に係る刈払い用チップソーにおいては、チップの欠けや脱落を防止しつつ雑草等を効率よく切断することができる。
【００１０】
また、本発明の他の特徴は、前記刈払い用チップソーにおいて、チップのスクイ角は、０°未満かつ−１０°以上であることにある。
【００１１】
このように構成した本発明の他の特徴によれば、刈払い用チップソーは、チップのスクイ角が０°未満かつ−１０°以上に設定されているため、本発明者の実験によれば、雑草等への切断抵抗の増大を抑えながらチップの欠けや脱落を抑制することができる。
【００１２】
また、本発明の他の特徴は、前記刈払い用チップソーにおいて、支持部は、台金の周方向に沿って切れ刃の長さの２倍以上の長さで形成されていることにある。
【００１３】
このように構成した本発明の他の特徴によれば、刈払い用チップソーは、支持部が台金の周方向に沿って切れ刃の長さの２倍以上に設定されているため、刈払い作業中におけるチップの支持剛性を向上させることができ、チップの振動および脱落を抑制することができる。
【００１４】
また、本発明の他の特徴は、前記刈払い用チップソーにおいて、支持部は、台金の周縁部に２６以上かつ３０以下の範囲で形成されていることにある。
【００１５】
このように構成した本発明の他の特徴によれば、刈払い用チップソーは、台金がチップを２６以上かつ３０以下の範囲の数だけ保持している。これにより、刈払い用チップソーは、外径を一般的な２３０ｍｍ〜２６０ｍｍに設定した場合、支持部間に形成された凹状の逃げ部におけるチップより内側の内幅を切れ刃の長さの２倍以上に設定し易くすることができる。
【図面の簡単な説明】
【００１６】
【図１】本発明の一実施形態に係る刈払い用チップソーの全体構成を概略的に示した正面図である。
【図２】図１に示す二点鎖線円内の構成を拡大した刈払い用チップソーの部分拡大正面図である。
【図３】図２に示す実線矢印方向から見た刈払い用チップソーの部分拡大図である。
【図４】図２に示す刈払い用チップソーを図示上方から見た部分拡大平面図である。
【図５】本発明の変形例に係る刈払い用チップソーにおける図４と同様の部分拡大平面図である。
【図６】本発明の他の変形例に係る刈払い用チップソーにおける図３と同様の部分拡大図である。
【図７】本発明の他の変形例に係る刈払い用チップソーにおける図３と同様の部分拡大図である。
【発明を実施するための形態】
【００１７】
以下、本発明に係る刈払い用チップソーの一実施形態について図面を参照しながら説明する。図１は、本発明に係る刈払い用チップソー１００の全体構成の概略を示す正面図である。また、図２は、図１に示す二点鎖線円内の構成を拡大した部分拡大正面図である。また、図３は、図２に示す実線矢印方向から見た刈払い用チップソー１００の部分拡大図である。また、図４は、図２に示す刈払い用チップソー１００を図示上方から見た部分拡大平面図である。なお、本明細書において参照する各図は、本発明の理解を容易にするために一部の構成要素を誇張して表わすなど模式的に表している。このため、各構成要素間の寸法や比率などは異なっていることがある。この刈払い用チップソー１００は、雑草や低木（以下、「雑草等」という）を刈り取る刈払い機（「草刈り機」ともいう）に着脱自在に取り付けられて回転駆動されることにより雑草等を切断する所謂刈刃である。
【００１８】
（刈払い用チップソー１００の構成）
刈払い用チップソー１００は、台金１０１を備えている。台金１０１は、鋼板を円盤状に形成して構成されている。本実施形態においては、台金１０１は、１.２５ｍｍの厚さの鋼板（例えば、ＳＡＥ材やＳＫＳ材）で構成されている。この台金１０１には、その中心部に取付孔１０１ａが形成されるとともに、この取付孔１０１ａの外側に４つの長孔１０１ｂがそれぞれ放射状に径方向に延びて形成されている。取付孔１０１ａは、この刈払い用チップソー１００を図示しない刈払い機に装着するための貫通孔である。また、長孔１０１ｂは、この刈払い用チップソー１００によって雑草等を刈払い作業を行う際に台金１０１に巻き付いた雑草等の除去作業を行い易くするとともに台金１０１を軽量化して回転駆動させ易くするための貫通孔である。一方、台金１０１の周縁部には、台金１０１の径方向外側に向かって放射状に張り出した状態で複数の支持部１０２が形成されている。
【００１９】
これら複数の支持部１０２は、後述するチップ１０４を保持する部分であり、台金１０１の周縁部上に略波型状に張り出して形成されている。より具体的には、各支持部１０２は、後述するチップ１０４の切れ刃１０６の長さよりも十分に長い長さだけ台金１０１の径方向外側に張り出すとともに、刈払い用チップソー１００の回転方向（図示破線矢印参照）の後方に沿って台金１０１の径方向内側に変化しながらチップ１０４の切れ刃の長さの２倍以上の長さで延びて形成されている。本実施形態においては、支持部１０２の各周縁部の長さＬは約１０ｍｍに設定されている。
【００２０】
そして、各支持部１０２の周縁部は、刈払い用チップソー１００の回転方向前方側の角部が略Ｌ字状に切り欠かれてチップ１０４がそれぞれ固着されているとともに、このチップ１０４の後方における周縁部の中央部にチップ１０４を研ぐ砥石との干渉を避けるための凹部１０３が台金１０１の径方向内側に凹んだ状態で形成されている。また、この場合、各支持部１０２においてチップ１０４が固着される略Ｌ状に切り欠かれた部分２面のうちの台金１０１の径方向に延びる平面状の支持面１０２ａは、刈払い用チップソー１００の回転方向の後方側に向かって傾斜して形成されている。より具体的には、支持面１０２ａは、チップ１０４のスクイ角αと同様の負のスクイ角で形成されている。本実施形態においては、支持面１０２ａは、チップ１０４のスクイ角αと同一の角度で傾斜、すなわち、チップ１０４における刃面１０５と平行に形成されている。
【００２１】
チップ１０４は、雑草等を切断するための刃物であり、超硬製の小片によって構成されている。このチップ１０４は、図３に示すように、刈払い用チップソー１００の回転方向前方側から見て長方形状の平面からなる刃面１０５を有するとともに、この刃面１０５における２つの長辺が雑草等を切断する切れ刃１０６をそれぞれ構成している。本実施形態においては、刃面１０５は、切れ刃１０６を構成する長辺が６ｍｍに形成されるとともにこの長辺に直交する幅Ｗ１０５が２ｍｍに形成されている。
【００２２】
そして、このチップ１０４は、切れ刃１０６を台金１０１の略径方向に沿った向きで刃面１０５が刈払い用チップソー１００の回転方向（台金１０１の周方向）に対して直交して面するとともに切れ刃１０６の全部を刈払い用チップソー１００の回転方向に露出させた状態で支持部１０２にロウ付けによって固着されている。換言すれば、チップ１０４は、刃面１０５に対向する反対側の面と台金１０１の内側に面する面の２面がロウ付けによって支持部１０２に固着されている。これにより、チップ１０４は、切れ刃１０６が刃面１０５における幅Ｗ１０５よりも長い長さで台金１０１の略径方向に延びて設けられている。
【００２３】
この場合、チップ１０４は、台金１０１の径方向に対する刃面１０４の角度である所謂スクイ角αが負のスクイ角に傾斜した状態で支持部１０２に固着される。ここで、負のスクイ角とは、刃面１０６における刃先側が刈払い用チップソー１００の回転方向の後方側に向かって傾斜している角度である。本実施形態においては、チップ１０４は、切れ刃１０６の刃先と台金１０１の中心とを結ぶ直線に対して刃面１０５が−２.５°のスクイ角αで傾斜して支持部１０２に取り付けられている。
【００２４】
これらのチップ１０４をそれぞれ支持する各支持部１０２は、台金１０１の周縁部上に等間隔に形成されている。より具体的には、各支持部１０２は、互いに隣接する支持部１０２と支持部１０２との間に形成された凹状の逃げ部１０７における前記チップ１０４より内側の幅Ｗ１０7が切れ刃１０６の長さの２倍以上に設定されている。本実施形態においては、支持部１０２は、台金１０１の周縁部に２６個形成されるとともに、各支持部１０２間に形成された逃げ部１０７における前記チップ１０４より内側の幅Ｗ１０７が約１２ｍｍにそれぞれ設定されている。なお、本実施形態における刈払い用チップソー１００の外径は２３０ｍｍに設定されている。
【００２５】
（刈払い用チップソー１００の作動）
次に、このように構成された刈払い用チップソー１００の作動について説明する。まず、雑草等の刈払い作業を行うユーザは、刈払い用チップソー１００および図示しない刈払い機をそれぞれ用意する。ここで、刈払い機は、刈払い用チップソー１００を回転駆動させて雑草等を切断するための機械装置であり、主として、刈払い用チップソー１００を回転駆動するための原動機とこの原動機による回転駆動力を刈払い用チップソー１００に伝達する回転駆動軸とを備えて構成されている。
【００２６】
次に、ユーザは、刈払い用チップソー１００を刈払い機に装着する。具体的には、ユーザは、刈払い用チップソー１００における取付孔１０１ａを刈払い機における図示しない回転駆動軸に取り付ける。次に、ユーザは、刈払い用チップソー１００を装着した刈払い機を用いて雑草等の刈払い作業を行う。具体的には、ユーザは、刈払い機の先端部に装着した刈払い用チップソー１００を刈払い機を操作することによって回転駆動させる。そして、ユーザは、回転駆動させた刈払い用チップソー１００を雑草等に接触させることにより刈払い作業を行う。
【００２７】
これにより、回転駆動する刈払い用チップ１００は、主として刃面１０５の両側に形成された２つの切れ刃１０６によって雑草等を切断する。この場合、刈払い用チップソー１００は、チップ１０４が負のスクイ角αで支持部１０２に設けられているため、チップ１０４に小石、砂利または砂などの異物が接触した際におけるチップ１０４の欠けや脱落を抑制することができる。これは、チップ１０４に接触した異物が接触した場合、チップ１０４の刃面１０５が接触した異物を台金１０１の径方向外側に逃がすためと考えられる。また、この場合、刈払い用チップソー１００は、刈払い用チップソー１００の回転変位方向に対してチップ１０４における１つ刃面１０５のみが面して構成されているため、刈払い作業中にチップ１０４に向かう異物が刃面１０５を構成する平面に衝突することにより、切れ刃１０６の損傷を抑えつつ衝突した異物を台金１０１の径方向外側に逃がすことができる。
【００２８】
また、刈払い用チップソー１００は、異物の接触によるチップ１０４の欠けや脱落を抑制することができるため、チップ１０４を切れ刃１０６の露出の少ない所謂埋込み側ではなく切れ刃１０６の露出量が多い所謂ハメ込み型で構成できる。すなわち、刈払い用チップソー１００は、切れ刃１０６を埋込み型の刈払い用チップソーの切れ刃よりも長く露出、より具体的には、刃面１０５の幅Ｗ１０５よりも長く露出させることができるため、埋込み型の刈払い用チップソーよりも効率よく雑草等を切断することができる。
【００２９】
また、さらに、刈払い用チップソー１００は、互いに隣接する２つの支持部１０２間に形成された凹状の逃げ部１０７におけるチップ１０４より内側の幅Ｗ１０７が切れ刃１０６の長さの２倍に設定されている。これにより、刈払い用チップソー１００は、刈払い作業中における逃げ部１０７内への雑草等の巻き込みを抑制できるとともにこれらの逃げ部１０７内に雑草等を巻き込んだ場合であっても巻き込み物が離脱され易いため、切断効率および作業効率を良好に維持することができる。
【００３０】
そして、ユーザは、雑草等を刈払い終えた場合には、刈払い機を操作して刈払い用チップソー１００の回転駆動を停止させる。これにより、ユーザは、雑草等の刈払い作業を終了することができる。なお、ユーザは、刈払い用チップソー１００のチップ１０４が摩耗したり損傷したりした場合には、この刈払い用チップソー１００を刈払い機から取り外して修繕して再度装着することができるとともに、新規の刈払い用チップソー１００を刈払い機１００に装着することができる。
【００３１】
上記作動説明からも理解できるように、上記実施形態によれば、刈払い用チップソー１００は、雑草等を切断するチップ１０４の切れ刃１０６のスクイ角αを構成する刃面１０５が負のスクイ角に傾斜して構成されている。これにより、刈払い用チップソー１００は、チップ１０４に接触する異物を台金１０１の径方向外側に逃がして異物の接触によるチップ１０４の欠けや脱落を抑制することができる。この場合、本発明者による官能試験（被験者数２０名）によれば、本発明に係る刈払い用チップソー１００によれば、刈払い作業における雑草等の切断抵抗が軽く感じられ、現実に、刈払い機の消費燃料が少なくなるとともに、作業者の疲労度および作業時間が短くなることを確認した。これは、恐らく、チップ１０４に接触する雑草等を台金の径方向外側に逃がしながら切断するためと考えられる。
【００３２】
また、チップ１０４の欠けや脱落を抑制できることからチップ１０４の切れ刃１０６を刃面１０５の幅Ｗ１０５の長さよりも長い範囲に露出させることができ、少なくとも所謂埋込み型の刈払い用チップソーに対して同等以上の雑草等の切断効率を確保することができる。そして、この場合、刈払い用チップソー１００は、チップ１０４を支持する支持部１０２間に形成された凹状の逃げ部におけるチップ１０４より内側の幅Ｗ１０７が切れ刃１０６の長さの２倍以上に設定されているため、刈払い作業中における支持部１０２間への雑草等の巻き込みを抑制できるとともにこれらの支持部１０２間に雑草等を巻き込んだ場合であっても巻き込み物が離脱され易い。これにより、刈払い用チップソー１００は、刈払い用チップソー１００に対する雑草等の掃けがよく雑草等の絡み付きが防止されて作業効率が向上するとともに、埋込み型の刈払い用チップソーよりも長く露出した切れ刃１０６の切断効率を良好に維持することができる。すなわち、本発明に係る刈払い用チップソー１００においては、チップ１０４の欠けや脱落を防止しつつ雑草等を効率よく切断することができる。
【００３３】
さらに、本発明の実施にあたっては、上記実施形態に限定されるものではなく、本発明の目的を逸脱しない限りにおいて種々の変更が可能である。なお、下記各変形例を示す図においては、上記実施形態における刈払い用チップソー１００の構成部分に対応する部分に同じ符号を付して、これらの説明は適宜省略する。
【００３４】
例えば、上記実施形態においては、刈払い用チップソー１００は、チップ１０４を−２.５°のスクイ角αで支持部１０２に固着した。しかし、チップ１０４のスクイ角αは、負のスクイ角であれば、必ずしも上記実施形態に限定されるものではない。但し、この場合、本発明者の実験によれば、チップ１０４のスクイ角αは、０°未満かつ−１０°以下が雑草等の切断抵抗の大きさの観点から適当であることを見出している。
【００３５】
また、上記実施形態においては、刈払い用チップソー１００は、互いに隣接する支持部１０２間の逃げ部１０７におけるチップ１０４より台金１０１の内側の幅Ｗ１０7を約１２ｍｍに設定した。しかし、逃げ部１０７におけるチップ１０４より台金１０１の内側の幅Ｗ１０７は、本発明者の実験によれば、チップ１０４における露出する切れ刃１０６の長さの２倍以上に設定されていれば、必ずしも上記実施形態に限定されるものではない。
【００３６】
また、上記実施形態においては、刈払い用チップソー１００は、台金１０１の周縁部１０１上に２６の数の支持部１０２を形成して構成した。しかし、台金１０１の周縁部上に形成する支持部１０２の数は、上記実施形態に限定されるものではなく、２６未満または２７以上の数であってもよいことは当然である。しかし、本発明者の実験によれば、台金１０１の周縁部上に形成する支持部１０２の数は、外径が２３０ｍｍ〜２６０ｍｍの一般的な大きさの刈払い用チップソーの場合、雑草等の巻き込みと切断効率とを考慮すれば、２６以上かつ３０以下の数が適当であることを見出している。
【００３７】
また、上記実施形態においては、支持部１０２における周縁部の長さをチップ１０４の切れ刃１０５の長さの２倍以上の長さに設定した。これにより、刈払い用チップソー１００は、刈払い作業中におけるチップの支持剛性を向上させることができ、チップ１０４の振動および脱落を抑制することができる。しかし、支持部１０２における周縁部の長さＬは、チップ１０４を安定的に保持することができれば、必ずしも上記実施形態に限定されるものではない。この場合、本発明者の実験によれば、支持部１０２における周縁部の長さはチップ１０４における露出する切れ刃１０６の長さの２倍以上かつ３倍以下が適当であることを見出している。
【００３８】
また、上記実施形態においては、刈払い用チップソー１００は、チップ１０４における切れ刃１０６の全部を刈払い用チップソー１００の回転方向の前方側に露出するように支持部１０２に固着した。しかし、チップ１０４は、少なくともチップ１０４の刃面１０５の幅Ｗ１０５よりも長い長さだけ露出するように支持部１０２に固着されれば、必ずしも上記実施形態に限定されるものではない。
【００３９】
また、上記実施形態においては、刈払い用チップソー１００は、各支持部１０２にそれぞれ取り付けられたチップ１０４は、刃面１０５の両側に切れ刃１０６を備えて構成した。しかし、刈払い用チップソー１００は、チップ１０４における刃面１０５の２つの長辺のうちの一方のみに切れ刃１０６を形成して構成することもできる。この場合、刈払い用チップソー１００は、例えば、図５に示すように、刃面１０５における２つの長辺のうちの一方に切れ刃１０６を形成するとともに他方の長辺側を刈払い用チップソー１００の回転方向後方側に逃がす、すなわち横スクイ角βを設けて構成するとよい。そして、この場合、刈払い用チップソー１００は、互いに隣接する支持部１０２間において刃面１０５における２つの長辺のうちの互いに異なる長辺に対して切れ刃１０６をそれぞれ形成、換言すれば、台金１０１の周方向に沿って刃面１０５における２つの長辺に対して切れ刃１０６を交互に形成するとよい。
【００４０】
また、上記実施形態においては、チップ１０４は、台金１０１の径方向内側の幅と刃先側の幅とが同一の幅に形成されている。しかし、チップ１０４は、図６に示すように、台金１０１の径方向内側の幅に対して刃先側の幅が広がった所謂あさりを設けて構成することもできる。これにより、刈払い用チップソー１００は、切りくずの排出性が高まるため低木などの立ち木を切断し易くなる。
【００４１】
また、上記実施形態においては、チップ１０４は、刃先側において台金の周方向に延びる２つの角部がそれぞれ直角に形成されている。しかし、チップ１０４は、図７に示すように、刃先側において台金の周方向に延びる２つの角部を落としてそれぞれ傾斜面に形成して構成することができる。これにより、刈払い用チップソー１００は、刈払い作業中における異物の衝突によるチップ１０４の欠けや脱落を効果的に防止することができ、作業効率を向上させることができる。
【００４２】
また、上記実施形態においては、各支持部１０２は、支持面１０２ａがチップ１０４のスクイ角αと同一の角度で傾斜して形成されている。これにより、刈払い用チップソー１００は、チップ１０４を支持部１０２に固着して研削する作業を行い易くすることができるとともに、刃先側におけるチップ１０４の厚さを確保し易くなる。しかし、各支持部１０２は、必ずしも支持面１０２ａがチップ１０４のスクイ角αと同一の角度で傾斜して形成されている必要はなく、チップ１０４と同様の負のスクイ角で形成されていればよい。すなわち、各支持部１０２における支持面１０２ａは、チップ１０４のスクイ角αより浅いまたは深い角度で傾斜して形成されていてもよい。なお、支持面１０２ａは、負のスクイ角より大きな角度、すなわち、正のスクイ角で形成することもできるものである。
【符号の説明】
【００４３】
α…スクイ角、Ｌ…支持部の周縁部の長さ、Ｗ１０５…刃面の幅、Ｗ１０７…逃げ部の幅、β…横スクイ角、
１００…刈払い用チップソー、１０１…台金、１０１ａ…取付孔、１０１ｂ…長孔、１０２…支持部、１０２ａ…支持面、１０３…凹部、１０４…チップ、１０５…刃面、１０６…切れ刃、１０７…逃げ部。
【図１】
2014011980.tif 000003
【図２】
2014011980.tif 000004
【図３】
2014011980.tif 000005
【図４】
2014011980.tif 000006
【図５】
2014011980.tif 000007
【図６】
2014011980.tif 000008
【図７】
2014011980.tif 000009